(57)【特許請求の範囲】
【請求項１】
受皿部と該受皿部から下方に延成された排水管部とからなり、コンクリート受枠上に保持されるドレイン本体の、その中心に一致させて該コンクリート受枠上に立設された支持杆と、該支持杆が挿通される上下方向の貫通孔が形成され、前記ドレイン本体の受皿部に乗載されて、コンクリートの打設時に該コンクリートが受皿部内へ流入しないように受皿部上面を遮蔽する養生蓋と、前記貫通孔に挿通されて養生蓋から上方へ突出する前記支持杆のその突出部に着脱自在に固定され、養生蓋の上面に当接してその高さ位置を保持する保持手段とを備えたドレイン用養生装置において、
前記養生蓋が、受皿部に上方から当接して受皿部上面を遮蔽するための遮蔽面を上面及び下面に備えるとともに、その上面の遮蔽面または下面の遮蔽面の何れか一方に、受皿部の外周面を囲繞するための環状突部を備えてなり、該養生蓋を施工態様によって選択的に上下反転させて使用可能としたことを特徴とするドレイン用養生装置。
【請求項２】
養生蓋の上面及び下面から、受皿部の内底面に当接可能な補強支持部が夫々突設されていることを特徴とする請求項１記載のドレイン用養生装置。
【請求項３】
環状突部の外周面に、受皿部上面の高さ位置に略一致し、打設するコンクリートの仕上げレベルを示すレベル指標部が設けられていることを特徴とする請求項１または請求項２記載のドレイン用養生装置。
【発明の詳細な説明】
【技術分野】
【０００１】
本発明は、打込型ルーフドレインの施工にあって、コンクリートの打設時に、ドレイン本体の受皿部内へのコンクリートの流入を防止するためのドレイン用養生装置に関する。
【背景技術】
【０００２】
受皿部と該受皿部から下方に延成された排水管部とからなるドレイン本体を備えた打込型ルーフドレインの施工にあって、コンクリートの打設時に、ドレイン本体の受皿部上に養生蓋を乗載して保持することにより、打設したコンクリートが受皿部内へ流入しないようにするドレイン用養生装置が知られている（例えば、特許文献１参照）。
【０００３】
この養生装置ａは、図８に示すように、コンクリート受枠ｄ上に筒状スペーサｉを介して所定高さ位置に保持されるドレイン本体ｂの、その中心に一致させて該コンクリート受枠ｄ上に立設された支持杆ｅと、前記ドレイン本体ｂの受皿部ｃに乗載され、前記支持杆ｅが挿通される厚み方向の貫通孔ｆが形成された養生蓋ｇと、前記貫通孔ｆに挿通されて養生蓋ｇから上方へ突出する支持杆ｅのその突出部に着脱自在に固定され、養生蓋ｇの上面に当接してその高さ位置を保持する保持手段ｈとを備えている。ここで、養生装置ａは、コンクリートの打設時にドレイン本体ｂと養生蓋ｇとをコンクリート受枠ｄ上に移動不能に保持する保持装置を兼ねており、養生蓋ｇは抜き型を兼ねている。そして、この養生装置ａによってドレイン本体ｂと養生蓋ｇとをコンクリート受枠ｄ上に移動不能に保持した状態でコンクリートｊを打設すると、養生蓋ｇによって受皿部ｃ内へのコンクリートｊの流入を防止することができる。また、コンクリートｊの硬化後にコンクリート受枠ｄと養生装置ａとを除去することにより、図９に示すように、ドレイン本体ｂがコンクリートｊ内に埋設されるとともに、該ドレイン本体ｂ上に養生蓋ｇの形状に一致した排水溝ｋが形成される。
【０００４】
上記のようにドレイン本体ｂを埋設施工した後、受皿部ｃの上面に対して略面一状となるように排水溝ｋの周囲の余剰なコンクリート部分ｐをハツリ作業によって除去し、然る後、図１０に示すように、コンクリートｊ上から受皿部ｃ上に亘って防水層ｒが敷設される。
【０００５】
また、図１２に示すように、受皿部ｃの外周面に隣接させてシーリング材ｍを充填するための防水用シーリング溝ｎを形成して防水性を高める必要がある場合には、図１１に示すように、下面に受皿部ｃの外周面ｓを囲繞する環状突部ｔが設けられた養生蓋ｇ’を用いて、コンクリートｊの打設と同時に前記防水用シーリング溝ｎ（図１２参照）を形成するようにしている。
【先行技術文献】
【特許文献】
【０００６】
【特許文献１】特開２００５−３２５５８２号公報
【発明の概要】
【発明が解決しようとする課題】
【０００７】
ところで、コンクリートｊの打設と同時に防水用シーリング溝ｎを形成するための環状突部ｔが下面に設けられた養生蓋ｇ’は、高い防水性が要求される屋上のような雨水量が多い場所にルーフドレインを施工する場合に用いられる一方、環状突部ｔのない養生蓋ｇは、庇のあるベランダのような雨水量が比較的少ない場所にルーフドレインを施工する場合に用いられるのであるが、従来は、このように施工態様に応じて二種類の異なる養生蓋ｇ，ｇ’を夫々製作しなければならないため、製作に手間が掛かる上、コスト高になるという問題点があった。
【０００８】
本発明は、かかる従来の問題点を解消するためになされたものであり、二通りの施工態様に対応し得る養生蓋を備えたドレイン用養生装置を提供することを目的とするものである。
【課題を解決するための手段】
【０００９】
本発明は、受皿部と該受皿部から下方に延成された排水管部とからなり、コンクリート受枠上に保持されるドレイン本体の、その中心に一致させて該コンクリート受枠上に立設された支持杆と、該支持杆が挿通される上下方向の貫通孔が形成され、前記ドレイン本体の受皿部に乗載されて、コンクリートの打設時に該コンクリートが受皿部内へ流入しないように受皿部上面を遮蔽する養生蓋と、前記貫通孔に挿通されて養生蓋から上方へ突出する前記支持杆のその突出部に着脱自在に固定され、養生蓋の上面に当接してその高さ位置を保持する保持手段とを備えたドレイン用養生装置において、前記養生蓋が、受皿部に上方から当接して受皿部上面を遮蔽するための遮蔽面を上面及び下面に備えるとともに、その上面の遮蔽面または下面の遮蔽面の何れか一方に、受皿部の外周面を囲繞するための環状突部を備えてなり、該養生蓋を施工態様によって選択的に上下反転させて使用可能としたことを特徴とするドレイン用養生装置である。
【００１０】
ここで、養生蓋の材質としては、安価で成形性のよい発泡スチロールが好適に用いられ得る。
【００１１】
上記ドレイン用養生装置にあって、養生蓋の上面及び下面から、受皿部の内底面に当接可能な補強支持部が夫々突設されている構成が提案される。
【００１２】
また、環状突部の外周面に、受皿部上面の高さ位置に略一致し、打設するコンクリートの仕上げレベルを示すレベル指標部が設けられている構成が提案される。
【発明の効果】
【００１３】
本発明は、ドレイン用養生装置にあって、養生蓋が、受皿部に上方から当接して受皿部上面を遮蔽するための遮蔽面を上面及び下面に備えるとともに、その上面の遮蔽面または下面の遮蔽面の何れか一方に、受皿部の外周面を囲繞するための環状突部を備えてなり、該養生蓋を施工態様によって選択的に上下反転させて使用可能としたドレイン用養生装置であるから、受皿部の外周面に隣接させてシーリング材を充填するための防水用シーリング溝を形成する施工態様の場合には、環状突部を備えた遮蔽面を下向きにして、該環状突部で受皿部の外周面を囲繞した状態でドレイン本体の周囲にコンクリートを打設することにより、該コンクリートが硬化すると前記環状突部によって受皿部の外周面の周囲に防水用シーリング溝を形成することができる。一方、このような防水用シーリング溝を形成する必要がない施工態様の場合には、環状突部のない遮蔽面を下向きにして受皿部上面を遮蔽した状態でコンクリートを打設することにより、防水用シーリング溝を形成しないようにすることができる。これにより、一種類の養生蓋を二通りの施工態様に使用でき、従来のように二種類の異なる養生蓋を製作する必要がないため、製作に手間が掛からず、コストを低減することができる。
【００１４】
また、養生蓋の上面及び下面から、受皿部の内底面に当接可能な補強支持部が夫々突設されている構成にあっては、該養生蓋を保持手段によって上方から押圧して受皿上に保持するに際して、受皿部の内底面に当接する補強支持部によって養生蓋の変形が阻止されることにより、上方からの過剰な押圧による養生蓋の損壊を防止することができる。
【００１５】
また、環状突部の外周面に、受皿部上面の高さ位置に略一致し、打設するコンクリートの仕上げレベルを示すレベル指標部が設けられている構成にあっては、環状突部を備えた遮蔽面を下向きにして、該環状突部で受皿部の外周面を囲繞した状態でドレイン本体の周囲にコンクリートを打設する場合に、目視不能となる受皿部上面の高さ位置をレベル指標部によって知得することができ、これによって、打設するコンクリートの仕上げレベルを受皿部上面の高さ位置に容易に一致させることができる。
【図面の簡単な説明】
【００１６】
【図１】実施例にかかるドレイン用養生装置１の施工状態を示す縦断面図である。
【図２】同上のドレイン用養生装置１の平面図である。
【図３】図１におけるＡ部の拡大図である。
【図４】変形実施例にかかる保持手段５を備えたドレイン用養生装置１の施工状態を示す縦断面図である。
【図５】防水用シーリング溝２３を形成した状態を示す施工説明図である。
【図６】養生蓋３を上下反転させたドレイン用養生装置１の施工状態を示す縦断面図である。
【図７】受皿部８の外周面８ｂにコンクリート２２が接する状態を示す施工説明図である。
【図８】従来構成の養生蓋ｇを備えたドレイン用養生装置ａの施工状態を示す縦断面図である。
【図９】コンクリートｊの硬化後に養生蓋ｇとコンクリート受枠ｄを除去した状態を示す施工説明図である。
【図１０】防水層ｒを敷設した状態を示す施工説明図である。
【図１１】従来構成の養生蓋ｇ’を備えたドレイン用養生装置ａの施工状態を示す縦断面図である。
【図１２】防水用シーリング溝ｎにシーリング材ｍを充填した状態を示す施工説明図である。
【発明を実施するための形態】
【００１７】
以下に、本発明に係るドレイン用養生装置１の一実施例を、図１〜図７に基づいて説明する。
【００１８】
ドレイン用養生装置１は、図１に示すように、コンクリート受枠６上に保持されるドレイン本体７の中心に一致させて該コンクリート受枠６上に立設される支持杆２と、該支持杆２が挿通される上下方向の貫通孔４が形成され、ドレイン本体７の受皿部８に乗載されて受皿部上面８ａを遮蔽する養生蓋３と、前記貫通孔４に挿通されて養生蓋３から上方へ突出する支持杆２のその突出部に着脱自在に固定され、養生蓋３の上面に当接してその高さ位置を保持する保持手段５とを備えている。
【００１９】
ここで、ドレイン本体７は、受皿部８と該受皿部８から下方に延成された排水管部９とからなり、該排水管部９を囲繞する筒状スペーサ１０によってコンクリート受枠６上に保持されている。そして、前記ドレイン本体７の周囲でコンクリート受枠６上にコンクリート２２を打設する前に、前記ドレイン本体７の受皿部８に養生蓋３が乗載され、該ドレイン本体７と養生蓋３は保持手段５により移動不能に保持される。尚、前記筒状スペーサ１０は、所要のコンクリート厚に対応する長さに形成されたものが用いられる。
【００２０】
前記養生蓋３は、所定の厚みで円盤状に形成されており（図２参照）、その上面及び下面に受皿部８に上方から当接して受皿部上面８ａを遮蔽するための円形の遮蔽面１１ａ，１１ｂを備えている。該遮蔽面１１ａ，１１ｂの外径は、受皿部上面８ａの外径に略一致しており、該遮蔽面１１ａ，１１ｂの何れか一方に、受皿部８の外周面８ｂを囲繞するための環状突部１２が周設されている。これにより、該養生蓋３は施工態様に応じて選択的に上下を反転させて使用し得るようになっている。尚、この養生蓋３を構成する材質には、安価で成形性がよい発泡スチロールが好適に用いられ得る。
【００２１】
前記環状突部１２の外周面１２ａには、図３に示すように、打設するコンクリート２２の仕上げレベルを示すレベル指標部１３が設けられている。該レベル指標部１３は、環状突部１２を備えた遮蔽面１１ａに略一致する高さ位置、即ち、遮蔽面１１ａを当接させた受皿部上面８ａに略一致する高さ位置に、環状突部１２の外周面１２ａから外方に突出し、かつ周方向に延在する線条として形成されている。
【００２２】
また、養生蓋３の上面及び下面には、受皿部８の内底面８ｃに当接可能な補強支持部１４，１４が夫々突設されている。該補強支持部１４，１４は、養生蓋３の中央に形成された貫通孔４を中心として上下方向に延出する円筒状に形成されており、養生蓋３を受皿部８に乗載した状態で、その先端部が受皿部８の内底面８ｃに当接するようになっている。
【００２３】
一方、前記コンクリート受枠６の所定位置には、筒状スペーサ１０の内径とほぼ等しい外径の位置決め板１５が釘１６により固定されている。そして、該位置決め板１５には前記筒状スペーサ１０の下端が外嵌される。これにより、前記筒状スペーサ１０の上端に支持されるドレイン本体７はその位置及び高さが決定されることとなる。尚、位置決め板１５は、必ずしも筒状スペーサ１０の内径とその外径を等しくする必要はなく、要は、コンクリート受枠６の上面に固着されて、後述の保持螺子孔１７を具備するものであればよい。
【００２４】
前記位置決め板１５は円板状金属板の周縁に下向きの曲げ加工を施し、かつその中心下面にナット１８を固着してその雌螺子孔を上下方向に延在する保持螺子孔１７としている。
【００２５】
前記位置決め板１５の中心に配設された保持螺子孔１７には、外周面に雄螺子部２ａを備えた上下に長い支持杆２の下端部が上方から螺着される。これにより、該支持杆２をコンクリート受枠６上に立設するようにしている。尚、この実施例では、支持杆２は、雄螺子部２ａを全長に亘って形成した螺子杆によって構成されているが、該支持杆２は、上部及び下部に夫々雄螺子部２ａを備えたものであってもよい。
【００２６】
この支持杆２には、養生蓋３の上面に当接してその高さ位置を保持する保持手段５が着脱自在に固定される。該保持手段５は蝶ナットからなり、該蝶ナットの雌螺子孔を支持杆２の雄螺子部２ａに上方から螺合させて回転させることにより、保持手段５が支持杆２に対して昇降及び着脱自在となるようにしている。尚、保持手段５は蝶ナットに限定されるものではなく、図４に示す変形実施例のように、円形の押止板１９の中心に雌螺子孔２０を形成し、さらに該雌螺子孔２０を中心として１８０°異なる位置で、押止板１９に夫々略コ字形の切込みを入れて上方に立ち上げることにより形成された一対の操作突部２１，２１を備えたものであってもよい。
【００２７】
次に、ドレイン用養生装置１を用いた施工について説明する。
図１に示すように、釘１６によりコンクリート受枠６上に位置決め板１５を固定した状態で、該位置決め板１５に筒状スペーサ１０の下端を外嵌し、該筒状スペーサ１０上にドレイン本体７の受皿部８を同心状に乗載する。そして、支持杆２の下端の雄螺子部２ａを位置決め板１５の保持螺子孔１７に螺合して該支持杆２を立設させる。次いで、養生蓋３の貫通孔４に前記支持杆２を上端側から挿通し、該養生蓋３をドレイン本体７の受皿部８に乗載する。ここで、受皿部８の外周面８ｂに隣接させてシーリング材２４を充填するための防水用シーリング溝２３（図５参照）を形成する施工態様の場合には、環状突部１２を備えた遮蔽面１１ａを下向きにして受皿部８に上方から当接させ、該遮蔽面１１ａによって受皿部上面８ａを遮蔽するとともに、環状突部１２で受皿部８の外周面８ｂを囲繞した状態とする。
【００２８】
そして、前記養生蓋３の貫通孔４から上方へ突出した支持杆２の雄螺子部２ａに押え座金２６を嵌合させてから、保持手段５としての蝶ナットを螺合し、回転操作による螺進作用を介して下方移動させて、該蝶ナットを養生蓋３の上面に押え座金２６を介して押圧状態で当接させる。これにより、ドレイン本体７及び養生蓋３がコンクリート受枠６上に移動不能に保持される。また、養生蓋３によって受皿部上面８ａが遮蔽され、コンクリート２２の打設時に受皿部８内へのコンクリート２２の流入を防止する状態が得られる。また、養生蓋３から突設された一方の補強支持部１４の先端が受皿部８の内底面８ｃに当接していることにより、前記保持手段５による養生蓋３の押圧時に、補強支持部１４によって養生蓋３の変形が阻止され、上方からの過剰な押圧による養生蓋３の損壊を防止することができる。
【００２９】
かかる状態で、ドレイン本体７及び環状突部１２の周囲にコンクリート２２を打設する。この時、目視不能となる受皿部上面８ａの高さ位置を、環状突部１２の外周面１２ａに設けられたレベル指標部１３（図３参照）によって知得することができるため、打設するコンクリート２２の仕上げレベルを受皿部上面８ａの高さ位置に容易に一致させることができる。尚、この打設するコンクリート２２の表面は、施工後のドレイン本体７による排水を円滑にするために、受皿部上面８ａに向けて緩やかに下方傾斜させて施工される。
【００３０】
そして、コンクリート２２の打設後、数日間放置することによってコンクリート２２が硬化したら、保持手段５としての蝶ナットを締付け方向と反対方向に回転させて支持杆２から取り外し、次いで、該支持杆２も締付け方向と反対方向に回転させて位置決め板１５から取り外す。この状態で養生蓋３とコンクリート受枠６が除去可能となるので、該養生蓋３とコンクリート受枠６を硬化したコンクリート２２から除去する。そして、このように、養生蓋３を除去すると、該養生蓋３に設けられた環状突部１２によって、図５に示すように、受皿部８の周囲のコンクリート２２の上面に、受皿部８の外周面８ｂに隣接する防水用シーリング溝２３を形成することができる。そして、該防水用シーリング溝２３にシーリング材２４を充填した後、コンクリート２２上から受皿部８上に亘って防水層２５を敷設することにより施工が完了する。そして、このように、受皿部８の外周面８ｂに隣接させて形成した防水用シーリング溝２３にシーリング材２４を充填した状態で防水層２５を敷設することにより、高い防水性を得ることができる。
【００３１】
一方、上記のような防水用シーリング溝２３（図５参照）を形成する必要がない施工態様の場合には、図６に示すように、養生蓋３の上下を反転させて、環状突部１２のない遮蔽面１１ｂを下向きにして受皿部上面８ａを遮蔽した状態でコンクリート２２を打設することにより、図７に示すように、受皿部８の外周面８ｂにコンクリート２２が接するようにした施工を行うことができる。
【００３２】
このように、本発明によれば、一種類の養生蓋３を二通りの施工態様に使用でき、従来のように二種類の異なる養生蓋を製作する必要がないため、製作に手間が掛からず、コストを低減することができる。
【符号の説明】
【００３３】
１  ドレイン用養生装置
２  支持杆
３  養生蓋
４  貫通孔
５  保持手段
６  コンクリート受枠
７  ドレイン本体
８  受皿部
８ａ  受皿部上面
８ｂ  外周面
８ｃ  内底面
９  排水管部
１１ａ，１１ｂ  遮蔽面
１２  環状突部
１３  レベル指標部
１４  補強支持部
２２  コンクリート
【図１】
0005608524.tif 000002
【図２】
0005608524.tif 000003
【図３】
0005608524.tif 000004
【図４】
0005608524.tif 000005
【図５】
0005608524.tif 000006
【図６】
0005608524.tif 000007
【図７】
0005608524.tif 000008
【図８】
0005608524.tif 000009
【図９】
0005608524.tif 000010
【図１０】
0005608524.tif 000011
【図１１】
0005608524.tif 000012
【図１２】
0005608524.tif 000013